(57)【要約】【課題】十分な吸塵性能を実現する。【解決手段】横長の本体１０と、本体１０の下部の保持部１３、１３にそれぞれ収納するローラ組立体２０、２０とを設け、ローラ組立体２０の各ローラは、保持部１３の下側に突出して上下動する。【選択図】図１
2007289570.tif 000002
【特許請求の範囲】
【請求項１】
吸引パイプ用の接続口を有する横長の本体と、該本体の下部の円形断面の保持部にそれぞれ収納する前後のローラ組立体とを備えてなり、前記本体は、前記接続口に連通する下部開放の吸引空間を前記保持部の間に形成し、前記各ローラ組立体は、前記保持部内に移動可能に配置する軸と、該軸を通して連結する多数のローラとを備え、該ローラは、前記軸の外径より大きい内径、前記保持部の下側の開口幅より大きい外径を有し、外周の一部が前記保持部の下側に突出して上下動することを特徴とする掃除機の吸込具。
【請求項２】
前記ローラ組立体は、前記ローラの数個ごとにワッシャを介装することを特徴とする請求項１記載の掃除機の吸込具。
【請求項３】
前記ローラは、外径１０〜２０mm、長さ１０〜１５mmとすることを特徴とする請求項１または請求項２記載の掃除機の吸込具。
【発明の詳細な説明】
【技術分野】
【０００１】
この発明は、吸引エアを使用する掃除機の吸込具に関する。
【背景技術】
【０００２】
下面に前後２列のパイプ材を設ける掃除機の吸込具が知られている（特許文献１）。
【０００３】
このものは、吸込具の下面の吸込溝の前後に下部開放の角形断面の凹部を設け、各凹部内に固定する支軸に対して多数のパイプ材を移動可能に装着して構成されている。なお、各パイプ材は、支軸の外径より大きな内径を有し、支軸に対して径方向に相対移動可能である。そこで、各パイプ材は、凹部内において、吸引エアにより吸込溝側に吸い寄せられるとともに、床面の凹凸にも良好に追随するため、高い吸塵性能が得られるという。
【特許文献１】特公昭６１−４２５７１号公報
【発明の開示】
【発明が解決しようとする課題】
【０００４】
かかる従来技術によるときは、パイプ材は、固定の支軸を介して角形断面の凹部内に保持されているため、吸引エアに無駄を生じ易く、十分な吸塵性能が必ずしも得られないという問題があった。パイプ材の外周と凹部の内面との間に大きな隙間を生じる上、固定の支軸によりパイプ材の径方向の移動範囲が制約されるため、パイプ材が凹部の吸引溝側の内壁に正しく密着しない傾向があるからである。
【０００５】
そこで、この発明の目的は、かかる従来技術の問題に鑑み、円形断面の保持部内の移動可能な軸に対し、保持部の下側の開口幅より大きい外径のローラを組み合わせることによって、実用的に十分な吸塵性能を容易に実現することができる掃除機の吸込具を提供することにある。
【課題を解決するための手段】
【０００６】
かかる目的を達成するためのこの発明の構成は、吸引パイプ用の接続口を有する横長の本体と、本体の下部の円形断面の保持部にそれぞれ収納する前後のローラ組立体とを備えてなり、本体は、接続口に連通する下部開放の吸引空間を保持部の間に形成し、各ローラ組立体は、保持部内に移動可能に配置する軸と、軸を通して連結する多数のローラとを備え、ローラは、軸の外径より大きい内径、保持部の下側の開口幅より大きい外径を有し、外周の一部が保持部の下側に突出して上下動することをその要旨とする。
【０００７】
なお、ローラ組立体は、ローラの数個ごとにワッシャを介装することができ、ローラは、外径１０〜２０mm、長さ１０〜１５mmとすることができる。
【発明の効果】
【０００８】
かかる発明の構成によるときは、ローラ組立体は、円形断面の保持部に収納されているから、ローラの外周と保持部の内面との間に生じる隙間を最少に抑えることができる上、保持部の下側の開口幅を隙間無く閉じることができるため、吸引エアの無駄を生じるおそれが殆どなく、高い吸塵性能を容易に実現することができる。また、ローラを連結する軸は、保持部内に移動可能に配置されており、いわば浮動軸となっているから、ローラの径方向の移動を制約するおそれがなく、床面の凹凸に対するローラの追随性も極めて良好である。なお、各ローラは、軸の外径より大きい内径を有するため、軸に対して径方向に相対移動可能であり、保持部の下側の開口幅より大きい外径を有するため、保持部から不用意に脱落するおそれもない。
【０００９】
ローラの数個ごとにワッシャを介装するローラ組立体は、ワッシャを介して各ローラの径方向の相対移動を円滑にするとともに、短いローラを使用しても、各ローラの傾きを防止して姿勢を安定させることができる。なお、ワッシャの内径、外径は、それぞれ軸の外径、ローラの外径とほぼ同一にすることが好ましい。
【００１０】
ローラは、外径１０〜２０mm、殊に外径１３〜１５mmとすることにより、マッチ軸や爪楊子などの細い棒状のごみに対する吸引性能が極めて良好である。また、ローラは、長さ１０mm未満であると、傾き易くなって姿勢が安定し難く、１５mm超過であると、床面の凹凸に対する追随性が劣化する。
【発明を実施するための最良の形態】
【００１１】
以下、図面を以って発明の実施の形態を説明する。
【００１２】
掃除機の吸込具は、横長の本体１０の下部に前後のローラ組立体２０、２０を収納してなる（図１、図２）。
【００１３】
本体１０の中央部には、吸引パイプＰを接続するための接続口１１が斜め上向きに突設されている。また、本体１０の両端は、端板１２、１２を介して閉じられており、断面山形の本体１０の下面には、各ローラ組立体２０を収納する前後の保持部１３、１３と、保持部１３、１３の間の下部開放の吸引空間１４とが形成されている。なお、吸引空間１４は、本体１０の中央部において接続口１１に連通しており（図２、図３）、各保持部１３は、下側に開口幅Ｄを有する円形断面に形成されている。
【００１４】
各ローラ組立体２０は、軸２１を介して多数のローラ２２、２２…を連結して構成されている（図２、図４）。なお、ローラ２２、２２…の数個ごと、たとえば５個ごとにワッシャ２３、２３…が介装されている。
【００１５】
軸２１の外径ａに対し、ローラ２２の外径ｂ1 、内径ｂ2 は、ｂ1 ＞ｂ2 ≫ａに形成されている。また、ワッシャ２３の外径ｃ1 、内径ｃ2 は、ｃ1 ≒ｂ1 、ｃ2 ≒ａに形成されている。ただし、ローラ２２の外径ｂ1 ＞Ｄである（図３、図４）。なお、軸２１は、保持部１３内において、実質的にワッシャ２３、２３…を介して全体が支持されており、軸２１の両端は、端板１２、１２を介して抜け止めされている。すなわち、軸２１は、保持部１３内に、固定することなく移動可能に配置されている。
【００１６】
各ローラ組立体２０は、全体を床面Ｆ上に置くことにより、保持部１３内において、各ローラ２２の外周が保持部１３の天面に当接するまで上昇することができ（図５（Ａ））、全体を床面Ｆから離すことにより、各ローラ２２の外周が開口幅Ｄを閉じるまで下降することができる（同図（Ｂ））。ただし、このとき、軸２１も上下に移動している。図５（Ａ）、（Ｂ）において、ローラ２２の外周の一部は、保持部１３の下側にそれぞれ突出量ｄ1 、ｄ2 ＞ｄ1 だけ突出しており、したがって、ローラ２２は、差Δｄ＝ｄ2 −ｄ1 だけ上下動することができる。なお、図５において、ワッシャ２３は、内径ｃ2 ≒ａかつｃ2 ＞ａ、外径ｃ1 ≒ｂ1 かつＤ＜ｃ1 ＜ｂ1 として図示されている。
【００１７】
そこで、本体１０の接続口１１に吸引パイプＰを接続して吸引し、各ローラ組立体２０のローラ２２、２２…の外周を床面Ｆに接地させながら全体を前後に移動させると、床面Ｆを能率よく掃除することができる。吸引パイプＰを介して排出される吸引エアは、吸引空間１４を介して吸引され、前後のローラ組立体２０、２０の間の床面Ｆに対して十分大きな負圧を及ぼすことができ、各ローラ組立体２０のローラ２２、２２…は、外周の一部が保持部１３の下側に突出して上下動することにより、床面Ｆの凹凸に個別に追随することができるからである（図６）。なお、図示しない吸引ホースを介して吸引パイプＰに接続する吸引源は、一般的な電気掃除機であってもよく、建物内にあらかじめ設備する負圧配管であってもよい。また、図５のローラ２２の突出量ｄ1 、差Δｄ＝ｄ2 −ｄ1 は、床面Ｆに存在する戸枠、畳縁、じゅうたん、タイル、マットなどの凹凸を考慮して、ｄ1 ≧３mm、Δｄ≧５mm程度に設定することが好ましい。
【００１８】
以上の説明において、本体１０は、下部の保持部１３、１３を形成する円形のカバー部分１３ａ、１３ａを他の部分と別部材として構成し、カバー部分１３ａ、１３ａを着脱可能または着脱不能に組み付けることができる。また、各ローラ組立体２０は、両端部の１個または数個のローラ２２、２２…を溝付きローラにすることにより、吸引空間１４を通る吸引エアの流量を多くして吸塵性能を向上させることができる。ただし、溝付きローラは、前または後の一方のローラ組立体２０だけに設けても十分である。また、ここでいう溝付きローラとは、ローラ２２の外周に対して１条または２条以上の周方向の溝を形成し、または、ローラ２２の外周より大径の外フランジを両端に形成するローラをいう。
【００１９】
なお、各ローラ組立体２０は、ワッシャ２３、２３…を省略し、ローラ２２、２２…だけを軸２１上に設けてもよい。また、軸２１は、図示のパイプ材に代えて、中実材としてもよい。さらに、保持部１３の断面形状は、円形のローラ２２が天面に当接しながら円滑に転動し得る限り、厳密な円形断面でなくてもよく、実質的な円形断面であればよい。
【図面の簡単な説明】
【００２０】
【図１】一部分解全体斜視図
【図２】図１の下面図
【図３】図１のＡ−Ａ線矢視断面図
【図４】要部分解斜視図
【図５】要部動作説明図（１）
【図６】要部動作説明図（２）
【符号の説明】
【００２１】
Ｐ…吸引パイプ
Ｄ…開口幅
ａ、ｂ1 …外径
ｂ2 …内径
１０…本体
１１…接続口
１３…保持部
１４…吸引空間
２０…ローラ組立体
２１…軸
２２…ローラ
２３…ワッシャ
特許出願人          有限会社  成  美
代理人  弁理士        松  田  忠  秋
【図１】
2007289570.tif 000003
【図２】
2007289570.tif 000004
【図３】
2007289570.tif 000005
【図４】
2007289570.tif 000006
【図５】
2007289570.tif 000007
【図６】
2007289570.tif 000008